【手続補正書】
【提出日】平成28年8月16日(2016.8.16)
【手続補正１】
【補正対象書類名】特許請求の範囲
【補正対象項目名】全文
【補正方法】変更
【補正の内容】
【特許請求の範囲】
【請求項１】
分散コンピューティングの方法であって、
データ送信サービスを記述するサービス記述ファイルからクライアントデバイスがトランスポートパラメータを取り出すことと、ここにおいて、前記サービス記述ファイルは、前記データ送信サービスとは別個である、
前記サービス記述ファイルからリフレッシュレートを前記クライアントデバイスが取得することと、ここにおいて、前記リフレッシュレートは、前記データ送信サービスによって提供されるデータ送信内のデータを前記データ送信サービスが更新する頻度に関する、
前記サービス記述ファイルから取り出された前記トランスポートパラメータを使用して、前記データ送信サービスから前記データを受信するために前記クライアントデバイスが前記データ送信にアクセスすることと、
更新されたデータを受信するための前記クライアントデバイスによる前記データ送信への後続のアクセスを遅らせることと、ここにおいて、前記後続のアクセスは、前記リフレッシュレートに少なくとも部分的に基づいて遅延時間ぶん遅らせられる、
を備える方法。
【請求項２】
前記リフレッシュレートを取得したことに応答して前記クライアントデバイスにおいてタイマを開始することをさらに備え、ここで、前記タイマは、前記遅延時間に設定され、前記タイマは、前記後続のアクセスが前記クライアントデバイスによって試みられる前の前記遅延時間を計る、
あるいは、
前記遅延時間の後に前記データ送信に後続的にアクセスすることと、
前記データ送信内の前記データが更新されているかどうかを決定することと、
前記データが更新されているとの決定に応答して、前記データ送信から更新されたデータを取り出すことと、
前記データが更新されていないとの決定に応答して、前記データ送信へのアクセスを中止し、後続のアクセスを前記遅延時間ぶんさらに遅らせることと
をさらに備える、
請求項１に記載の方法。
【請求項３】
デバイスステータスを前記クライアントデバイスが決定することと、ここにおいて、前記デバイスステータスは、
デバイスカテゴリ、
デバイスタイプ、
前記クライアントデバイス上で動作するアプリケーションのアプリケーションステータス、
時刻、
前記クライアントデバイスのバッテリレベル、および
前記クライアントデバイスのロケーションのうちの１つまたは複数を含む、
前記デバイスステータスに基づいてデバイスリフレッシュレートを選択することと
をさらに備える、請求項１に記載の方法。
【請求項４】
前記遅延時間はさらに、前記デバイスリフレッシュレートに少なくとも部分的に基づく、
あるいは、
前記取得することは、前記サービス記述ファイルに含まれる複数のリフレッシュレートから前記リフレッシュレートを選択することを含み、前記選択することは、前記デバイスステータスに基づく、
請求項３に記載の方法。
【請求項５】
前記トランスポートパラメータを前記取り出すことと、リフレッシュレートを取得することとは、
前記クライアントデバイスがリモートサーバにアクセスすることを含み、前記サービス記述ファイルは、前記リモートサーバ上に記憶され、前記方法はさらに、
前記データ送信サービスによって提供される前記データを取り出すための要求を前記クライアントデバイスから前記データ送信サービスに送信することを備え、ここにおいて、前記データ送信サービスは、前記要求に応答して、前記データ送信内で前記データを送信する、
請求項１に記載の方法。
【請求項６】
前記請求項１〜５のいずれかに記載の方法を実施する命令を備えるコンピュータプログラム製品。
【請求項７】
ワイヤレス通信のために構成されたクライアントデバイスであって、
少なくとも１つのプロセッサと、
前記少なくとも１つのプロセッサに結合されたメモリと
を備え、
前記少なくとも１つのプロセッサは、
データ送信サービスを記述するサービス記述ファイルから前記クライアントデバイスによってトランスポートパラメータを取り出すことと、ここにおいて、前記サービス記述ファイルは、前記データ送信サービスとは別個である、
前記サービス記述ファイルからリフレッシュレートを前記クライアントデバイスによって取得することと、ここにおいて、前記リフレッシュレートは、前記データ送信サービスによって提供されるデータ送信内のデータを前記データ送信サービスが更新する頻度に関する、
前記サービス記述ファイルから取り出された前記トランスポートパラメータを使用して、前記データ送信サービスから前記データを受信するために前記クライアントデバイスによって前記データ送信にアクセスすることと、
更新されたデータを受信するための前記クライアントデバイスによる前記データ送信への後続のアクセスを遅らせることと、ここにおいて、前記後続のアクセスは、前記リフレッシュレートに少なくとも部分的に基づいて遅延時間ぶん遅らせられる、
を行うように構成される、クライアントデバイス。
【請求項８】
前記少なくとも１つのプロセッサはさらに、
前記リフレッシュレートを取得するためのプログラムコードの実行に応答して前記クライアントデバイスにおいてタイマを開始するように構成され、ここで、前記タイマは、前記遅延時間に設定され、前記タイマは、前記後続のアクセスが前記クライアントデバイスによって試みられる前の前記遅延時間を計る、
あるいは、
前記少なくとも１つのプロセッサはさらに、
前記遅延時間の後に前記データ送信に後続的にアクセスすることと、
前記データ送信内の前記データが更新されているかどうかを決定することと、
前記データが更新されているとの決定に応答して、前記データ送信から更新されたデータを取り出すことと、
前記データが更新されていないとの決定に応答して、前記データ送信へのアクセスを中止し、後続のアクセスを前記遅延時間ぶんさらに遅らせることと
を行うように構成される、
請求項７に記載のクライアントデバイス。
【請求項９】
前記クライアントデバイスは、
ワイヤレス広域ネットワーク（ＷＷＡＮ）でのワイヤレス通信のために構成されたモバイルデバイス、
ワイヤレスローカルエリアネットワークでのワイヤレス通信のために構成されたモバイルデバイス、および
ローカルエリアネットワーク（ＬＡＮ）に結合されたコンピューティングデバイス
のうちの１つまたは複数を含む、請求項７に記載のクライアントデバイス。
【請求項１０】
前記少なくとも１つのプロセッサはさらに、
デバイスステータスを前記クライアントデバイスによって決定することと、ここにおいて、前記デバイスステータスは、
デバイスカテゴリ、
デバイスタイプ、
前記クライアントデバイス上で動作するアプリケーションのアプリケーションステータス、
時刻、
前記クライアントデバイスのバッテリレベル、および
前記クライアントデバイスのロケーションのうちの１つまたは複数を含む、
前記デバイスステータスに基づいてデバイスリフレッシュレートを選択することと
を行うように構成される、請求項９に記載のクライアントデバイス。
【請求項１１】
取得するための前記少なくとも１つのプロセッサの前記構成は、
前記サービス記述ファイルに含まれる複数のリフレッシュレートから前記リフレッシュレートを選択するための構成を含み、前記選択することは、前記デバイスステータスに基づく、請求項１０に記載のクライアントデバイス。
【請求項１２】
前記トランスポートパラメータを取り出すため、および、リフレッシュレートを取得するための前記少なくとも１つのプロセッサの前記構成は、
前記クライアントデバイスによってリモートサーバにアクセスするための前記少なくとも１つのプロセッサの構成を含み、ここにおいて、前記サービス記述ファイルは、前記リモートサーバ上に記憶され、前記少なくとも１つのプロセッサはさらに、
前記データ送信サービスによって提供された前記データを取り出すための要求を前記クライアントデバイスからデータ送信サービスに送信するように構成され、ここにおいて、前記データ送信サービスは、前記要求に応答して、前記データ送信内で前記データを送信する、請求項７に記載のクライアントデバイス。
【請求項１３】
ワイヤレス通信のために構成された装置であって、
少なくとも１つのプロセッサと、
前記少なくとも１つのプロセッサに結合されたメモリと
を備え、
前記少なくとも１つのプロセッサは、
ブロードキャスト送信のためのデータを、ブロードキャストサービスにおいて識別することと、
前記ブロードキャストサービスが前記データを更新されたデータへと更新する頻度に対応する、最小リフレッシュレートを取得することと、
前記ブロードキャストサービスによって前記データを送信することと、ここにおいて、前記送信されるデータは１つまたは複数のアクセシングクライアントデバイスによってアクセス可能である、
前記１つまたは複数のアクセシングクライアントデバイスに少なくとも前記最小リフレッシュレートを通信することと、
前記最小リフレッシュレートに等しい時間の後に、前記ブロードキャストサービスによって前記更新されたデータを送信することと、
前記送信されるデータに関係するサービス記述ファイルにおいて、前記送信されるデータについてのトランスポートパラメータおよび複数のデバイスリフレッシュレートをブロードキャストすることと、ここで、前記サービス記述ファイルは、前記ブロードキャストサービスとは別個である、
を行うように構成される、装置。
【請求項１４】
前記少なくとも１つのプロセッサはさらに、
複数のデバイスリフレッシュレートを前記ブロードキャストサービスによって決定するようにさらに構成され、前記複数のデバイスリフレッシュレートの各々は、アクセシングクライアントデバイスが前記更新されたデータへのアクセスを要求しうる異なるレートを識別し、前記複数のデバイスリフレッシュレートのうちの１つは、前記最小リフレッシュレートに対応し、
前記複数のデバイスリフレッシュレートの各々はデバイスステータスに対応し、前記デバイスステータスは、
前記アクセシングクライアントデバイスのデバイスカテゴリ、
前記アクセシングクライアントデバイスのデバイスタイプ、
前記アクセシングクライアントデバイス上で動作するアプリケーションのアプリケーションステータス、
時刻、
前記アクセシングクライアントデバイスのバッテリレベル、および
前記アクセシングクライアントデバイスのロケーション
のうちの１つまたは複数を含む、請求項１３に記載の装置。
【請求項１５】
前記少なくとも１つのプロセッサはさらに、
前記アクセシングクライアントデバイスのデバイスステータスを前記ブロードキャストサービスによって識別することと、
前記識別されたデバイスステータスに基づいて、前記複数のデバイスリフレッシュレートから、割り当てられたデバイスリフレッシュレートを前記ブロードキャストサービスによって選択することと、
前記割り当てられたデバイスリフレッシュレートを前記アクセシングクライアントデバイスに通信することと
を行うようにさらに構成され、
あるいは、
前記少なくとも１つのプロセッサはさらに、
前記データを受信するための要求をクライアントデバイスから受信するように構成され、前記データを送信するためのプログラムコードは、前記要求の受信に応答して実行される、
請求項１３に記載の装置。
【手続補正２】
【補正対象書類名】明細書
【補正対象項目名】０１０３
【補正方法】変更
【補正の内容】
【０１０３】
[00116]  本開示の先の説明は、当業者が本開示を実行または使用することを可能にするために提供される。本開示に対する様々な変更は、当業者には容易に明らかであり、本明細書で定義された包括的な原理は、本開示の精神または適用範囲から逸脱せずに、他の変形に適用されうる。ゆえに、本開示は、本明細書で説明された例および設計に限られることを意図しておらず、本明細書に開示された原理および新規な特徴と合致する最も広い適用範囲が与えられるべきである。
以下に、出願当初の特許請求の範囲に記載された発明を付記する。
［Ｃ１］
分散コンピューティングの方法であって、
データ送信サービスを記述するサービス記述ファイルからクライアントデバイスがトランスポートパラメータを取り出すことと、ここにおいて、前記サービス記述ファイルは、前記データ送信サービスとは別個である、
前記サービス記述ファイルからリフレッシュレートを前記クライアントデバイスが取得することと、ここにおいて、前記リフレッシュレートは、前記データ送信サービスによって提供されるデータ送信内のデータを前記データ送信サービスが更新する頻度に関する、
前記サービス記述ファイルから取り出された前記トランスポートパラメータを使用して、前記データ送信サービスから前記データを受信するために前記クライアントデバイスが前記データ送信にアクセスすることと、
更新されたデータを受信するために、前記クライアントデバイスによる前記データ送信への後続のアクセスを遅らせることと、ここにおいて、前記後続のアクセスは、前記リフレッシュレートに少なくとも部分的に基づいて遅延時間ぶん遅らせられる、
を備える方法。
［Ｃ２］
前記リフレッシュレートを取得したことに応答して前記クライアントデバイスにおいてタイマを開始することをさらに備え、前記タイマは、前記遅延時間に設定され、
前記タイマは、前記後続のアクセスが前記クライアントデバイスによって試みられる前の前記遅延時間を計る、上記Ｃ１に記載の方法。
［Ｃ３］
前記遅延時間の後に前記データ送信に後続的にアクセスすることと、
前記データ送信内の前記データが更新されているかどうかを決定することと、
前記データが更新されているとの決定に応答して、前記データ送信から更新されたデータを取り出すことと、
前記データが更新されていないとの決定に応答して、前記データ送信へのアクセスを中止し、後続のアクセスを前記遅延時間ぶんさらに遅らせることと
をさらに備える、上記Ｃ１に記載の方法。
［Ｃ４］
デバイスステータスを前記クライアントデバイスが決定することと、ここにおいて、前記デバイスステータスは、
デバイスカテゴリ、
デバイスタイプ、
前記クライアントデバイス上で動作するアプリケーションのアプリケーションステータス、
時刻、
前記クライアントデバイスのバッテリレベル、および
前記クライアントデバイスのロケーション
のうちの１つまたは複数を含む、
前記デバイスステータスに基づいてデバイスリフレッシュレートを選択することと
をさらに備える、上記Ｃ１に記載の方法。
［Ｃ５］
前記遅延時間はさらに、前記デバイスリフレッシュレートに少なくとも部分的に基づく、上記Ｃ４に記載の方法。
［Ｃ６］
前記取得することは、前記サービス記述ファイルに含まれる複数のリフレッシュレートから前記リフレッシュレートを選択することを含み、前記選択することは、前記デバイスステータスに基づく、上記Ｃ４に記載の方法。
［Ｃ７］
ブロードキャストチャネルを通じて前記サービス記述ファイルを受信することをさらに備える、上記Ｃ６に記載の方法。
［Ｃ８］
前記トランスポートパラメータを前記取り出すことと、リフレッシュレートを取得することとは、
前記クライアントデバイスがリモートサーバにアクセスすることを含み、前記サービス記述ファイルは、前記リモートサーバ上に記憶され、前記方法はさらに、
前記データ送信サービスによって提供される前記データを取り出すための要求を前記クライアントデバイスから前記データ送信サービスに送信することを備え、ここにおいて、前記データ送信サービスは、前記要求に応答して、前記データ送信内で前記データを送信する、上記Ｃ１に記載の方法。
［Ｃ９］
ワイヤレスネットワークにおけるワイヤレス通信のためのコンピュータプログラム製品あって、
プログラムコードを記録した非一時的コンピュータ可読媒体を備え、前記プログラムコードは、
データ送信サービスを記述するサービス記述ファイルからクライアントデバイスによってトランスポートパラメータを取り出すためのプログラムコードと、ここにおいて、前記サービス記述ファイルは、前記データ送信サービスとは別個である、
前記サービス記述ファイルから前記クライアントデバイスによってリフレッシュレートを取得するためのプログラムコードと、ここにおいて、前記リフレッシュレートは、前記データ送信サービスによって提供されるデータ送信内のデータを前記データ送信サービスが更新する頻度に関する、
前記サービス記述ファイルから取り出された前記トランスポートパラメータを使用して、前記データ送信サービスから前記データを受信するために前記クライアントデバイスによって前記データ送信にアクセスするためのプログラムコードと、
更新されたデータを受信するために、前記クライアントデバイスによる前記データ送信への後続のアクセスを遅らせるためのプログラムコードと、ここにおいて、前記後続のアクセスは、前記リフレッシュレートに少なくとも部分的に基づいて遅延時間ぶん遅らせられる、
を含む、コンピュータプログラム製品。
［Ｃ１０］
前記リフレッシュレートを取得するための前記プログラムコードの実行に応答して前記クライアントデバイスにおいてタイマを開始するためのプログラムコードをさらに備え、前記タイマは、前記遅延時間に設定され、
前記タイマは、前記後続のアクセスが前記クライアントデバイスによって試みられる前の前記遅延時間を計る、上記Ｃ９に記載のコンピュータプログラム製品。
［Ｃ１１］
前記遅延時間の後に前記データ送信に後続的にアクセスするためのプログラムコードと、
前記データ送信内の前記データが更新されているかどうかを決定するためのプログラムコードと、
前記データが更新されているとの決定に応答して、前記データ送信から更新されたデータを取り出すためのプログラムコードと、
前記データが更新されていないとの決定に応答して、前記データ送信へのアクセスを中止し、後続のアクセスを前記遅延時間ぶんさらに遅らせるためのプログラムコードと
をさらに備える、上記Ｃ９に記載のコンピュータプログラム製品。
［Ｃ１２］
デバイスステータスを前記クライアントデバイスによって決定するためのプログラムコードと、ここにおいて、前記デバイスステータスは、
デバイスカテゴリ、
デバイスタイプ、
前記クライアントデバイス上で動作するアプリケーションのアプリケーションステータス、
時刻、
前記クライアントデバイスのバッテリレベル、および
前記クライアントデバイスのロケーション
のうちの１つまたは複数を含む、
前記デバイスステータスに基づいてデバイスリフレッシュレートを選択するためのプログラムコードと
をさらに備える、上記Ｃ９に記載のコンピュータプログラム製品。
［Ｃ１３］
前記遅延時間はさらに、前記デバイスリフレッシュレートに少なくとも部分的に基づく、上記Ｃ１２に記載のコンピュータプログラム製品。
［Ｃ１４］
取得するための前記プログラムコードは、前記サービス記述ファイルに含まれる複数のリフレッシュレートから前記リフレッシュレートを選択するためのプログラムコードを含み、前記選択することは、前記デバイスステータスに基づく、上記Ｃ１２に記載のコンピュータプログラム製品。
［Ｃ１５］
ブロードキャストチャネルを通じて前記サービス記述ファイルを受信するためのプログラムコードをさらに備える、上記Ｃ１４に記載のコンピュータプログラム製品。
［Ｃ１６］
ワイヤレス通信のために構成されたクライアントデバイスであって、
少なくとも１つのプロセッサと、
前記少なくとも１つのプロセッサに結合されたメモリと
を備え、
前記少なくとも１つのプロセッサは、
データ送信サービスを記述するサービス記述ファイルから前記クライアントデバイスによってトランスポートパラメータを取り出すことと、ここにおいて、前記サービス記述ファイルは、前記データ送信サービスとは別個である、
前記サービス記述ファイルからリフレッシュレートを前記クライアントデバイスによって取得することと、ここにおいて、前記リフレッシュレートは、前記データ送信サービスによって提供されるデータ送信内のデータを前記データ送信サービスが更新する頻度に関する、
前記サービス記述ファイルから取り出された前記トランスポートパラメータを使用して、前記データ送信サービスから前記データを受信するために前記クライアントデバイスによって前記データ送信にアクセスすることと、
更新されたデータを受信するために、前記クライアントデバイスによる前記データ送信への後続のアクセスを遅らせることと、ここにおいて、前記後続のアクセスは、前記リフレッシュレートに少なくとも部分的に基づいて遅延時間ぶん遅らせられる、
を行うように構成される、クライアントデバイス。
［Ｃ１７］
前記少なくとも１つのプロセッサはさらに、
前記リフレッシュレートを取得するためのプログラムコードの実行に応答して前記クライアントデバイスにおいてタイマを開始するように構成され、前記タイマは、前記遅延時間に設定され、
前記タイマは、前記後続のアクセスが前記クライアントデバイスによって試みられる前の前記遅延時間を計る、上記Ｃ１６に記載のクライアントデバイス。
［Ｃ１８］
前記少なくとも１つのプロセッサはさらに、
前記遅延時間の後に前記データ送信に後続的にアクセスすることと、
前記データ送信内の前記データが更新されているかどうかを決定することと、
前記データが更新されているとの決定に応答して、前記データ送信から更新されたデータを取り出すことと、
前記データが更新されていないとの決定に応答して、前記データ送信へのアクセスを中止し、後続のアクセスを前記遅延時間ぶんさらに遅らせることと
を行うように構成される、上記Ｃ１６に記載のクライアントデバイス。
［Ｃ１９］
前記クライアントデバイスは、
ワイヤレス広域ネットワーク（ＷＷＡＮ）でのワイヤレス通信のために構成されたモバイルデバイス、
ワイヤレスローカルエリアネットワークでのワイヤレス通信のために構成されたモバイルデバイス、および
ローカルエリアネットワーク（ＬＡＮ）に結合されたコンピューティングデバイス
のうちの１つまたは複数を含む、上記Ｃ１６に記載のクライアントデバイス。
［Ｃ２０］
前記少なくとも１つのプロセッサはさらに、
デバイスステータスを前記クライアントデバイスによって決定することと、ここにおいて、前記デバイスステータスは、
デバイスカテゴリ、
デバイスタイプ、
前記クライアントデバイス上で動作するアプリケーションのアプリケーションステータス、
時刻、
前記クライアントデバイスのバッテリレベル、および
前記クライアントデバイスのロケーション
のうちの１つまたは複数を含む、
前記デバイスステータスに基づいてデバイスリフレッシュレートを選択することと
を行うように構成される、上記Ｃ１９に記載のクライアントデバイス。
［Ｃ２１］
前記遅延時間はさらに、前記デバイスリフレッシュレートに少なくとも部分的に基づく、上記Ｃ２０に記載のクライアントデバイス。
［Ｃ２２］
取得するための前記少なくとも１つのプロセッサの前記構成は、
前記サービス記述ファイルに含まれる複数のリフレッシュレートから前記リフレッシュレートを選択するための構成を含み、前記選択することは、前記デバイスステータスに基づく、上記Ｃ２０に記載のクライアントデバイス。
［Ｃ２３］
前記少なくとも１つのプロセッサはさらに、
ブロードキャストチャネルを通じて前記サービス記述ファイルを受信するように構成される、上記Ｃ２２に記載のクライアントデバイス。
［Ｃ２４］
前記トランスポートパラメータを取り出すため、および、リフレッシュレートを取得するための前記少なくとも１つのプロセッサの前記構成は、
前記クライアントデバイスによってリモートサーバにアクセスするための前記少なくとも１つのプロセッサの構成を含み、ここにおいて、前記サービス記述ファイルは、前記リモートサーバ上に記憶され、前記少なくとも１つのプロセッサはさらに、
前記データ送信サービスによって提供された前記データを取り出すための要求を前記クライアントデバイスからデータ送信サービスに送信するように構成され、ここにおいて、前記データ送信サービスは、前記要求に応答して、前記データ送信内で前記データを送信する、上記Ｃ１６に記載のクライアントデバイス。
［Ｃ２５］
前記リモートサーバは、ブロードキャストされたブロードキャスト−マルチキャストサービスセンタ（ＢＭ−ＳＣ）に位置する、上記Ｃ２４に記載のクライアントデバイス。
［Ｃ２６］
ワイヤレス通信のために構成された装置であって、
少なくとも１つのプロセッサと、
前記少なくとも１つのプロセッサに結合されたメモリと
を備え、
前記少なくとも１つのプロセッサは、
ブロードキャスト送信のためのデータを、ブロードキャストサービスにおいて識別することと、
前記ブロードキャストサービスが前記データを更新されたデータへと更新する頻度に対応する、最小リフレッシュレートを取得することと、
前記ブロードキャストサービスによって前記データを送信することと、ここにおいて、前記送信されるデータは１つまたは複数のアクセシングクライアントデバイスによってアクセス可能である、
前記１つまたは複数のアクセシングクライアントデバイスに少なくとも前記最小リフレッシュレートを通信することと、
前記最小リフレッシュレートに等しい時間の後に、前記ブロードキャストサービスによって前記更新されたデータを送信することと
を行うように構成される、装置。
［Ｃ２７］
前記少なくとも１つのプロセッサはさらに、
複数のデバイスリフレッシュレートを前記ブロードキャストサービスによって決定するようにさらに構成され、前記複数のデバイスリフレッシュレートの各々は、アクセシングクライアントデバイスが前記更新されたデータへのアクセスを要求しうる異なるレートを識別し、前記複数のデバイスリフレッシュレートのうちの１つは、前記最小リフレッシュレートに対応し、
前記複数のデバイスリフレッシュレートの各々はデバイスステータスに対応し、前記デバイスステータスは、
前記アクセシングクライアントデバイスのデバイスカテゴリ、
前記アクセシングクライアントデバイスのデバイスタイプ、
前記アクセシングクライアントデバイス上で動作するアプリケーションのアプリケーションステータス、
時刻、
前記アクセシングクライアントデバイスのバッテリレベル、および
前記アクセシングクライアントデバイスのロケーション
のうちの１つまたは複数を含む、上記Ｃ２６に記載の装置。
［Ｃ２８］
前記少なくとも１つのプロセッサはさらに、
前記アクセシングクライアントデバイスのデバイスステータスを前記ブロードキャストサービスによって識別することと、
前記識別されたデバイスステータスに基づいて、前記複数のデバイスリフレッシュレートから、割り当てられたデバイスリフレッシュレートを前記ブロードキャストサービスによって選択することと、
前記割り当てられたデバイスリフレッシュレートを前記アクセシングクライアントデバイスに通信することと
を行うようにさらに構成される、上記Ｃ２７に記載の装置。
［Ｃ２９］
前記少なくとも１つのプロセッサはさらに、
前記送信されるデータについてのトランスポートパラメータと、前記送信されるデータに関するサービス記述ファイル内の前記複数のデバイスリフレッシュレートとをブロードキャストするように構成され、前記サービス記述ファイルは、前記ブロードキャストサービスとは別個である、上記Ｃ２７に記載の装置。
［Ｃ３０］
前記少なくとも１つのプロセッサはさらに、
前記データを受信するための要求をクライアントデバイスから受信するように構成され、前記データを送信するためのプログラムコードは、前記要求の受信に応答して実行される、上記Ｃ２６に記載の装置。